【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
少なくとも１つの容器［１４、１６］を有する容器ユニット［１２］からの流体を貯留するための貯留デバイス［１０］であって、前記貯留デバイスは、
前記流体または周囲空気を受け取るために構成されている少なくとも１つの入口チャネル［２２、２４］を有する入口ポート［１８］と、
前記流体を取り付け部に送達するために構成されている少なくとも１つの出口チャネル［３２、３４］を有する出口ポート［２６］であって、前記入口ポートおよび出口ポートは、前記貯留デバイス上に配置されている、出口ポート［２６］と、
前記少なくとも１つの容器［１４、１６］からの前記流体を貯留するための前記容器ユニット［１２］の挿入に適応するために構成されている空洞［４０］と、
前記空洞内に配置されている少なくとも１つのスパイク［４８、５０］と
を備え、
前記少なくとも１つのスパイク［４８、５０］は、前記容器ユニットが上側位置から下側位置に移行するとき、前記少なくとも１つの容器のストッパ［４４、４６］を貫通するために構成されている、貯留デバイス。
【請求項２】
前記入口ポート［１８］は、対応する管［６４］を介して、前記少なくとも１つのスパイク［４８、５０］と流体連通する前記出口ポート［２６］に接続されている、請求項１に記載の貯留デバイス。
【請求項３】
前記少なくとも１つのスパイク［４８、５０］は、前記少なくとも１つの入口チャネル［２２、２４］に接続されている第１のスパイクチャネル［６２、７０］を有する、請求項１または２に記載の貯留デバイス。
【請求項４】
前記少なくとも１つのスパイク［４８、５０］は、前記少なくとも１つの出口チャネル［３２、３４］に接続されている第２のスパイクチャネル［６６、７２］を有する、請求項１または２に記載の貯留デバイス。
【請求項５】
前記少なくとも１つのスパイク［４８、５０］は、前記貯留デバイス［１０］の基部［５４］の内側表面［５２］から法線状に突出している、請求項１または２に記載の貯留デバイス。
【請求項６】
前記貯留デバイス［１０］は、使用中、前記容器ユニット［１２］を前記空洞［４０］内にしっかりと保持するために構成されている係止機構［５８］を有する、請求項１または２に記載の貯留デバイス。
【請求項７】
前記係止機構［５８］は、前記空洞［４０］の内壁［６０］上に配置されている、請求項６に記載の貯留デバイス。
【請求項８】
前記貯留デバイス［１０］は、連結された貯留デバイス［７４ａ、７４ｂ、７４ｃ］からの前記流体の途切れない供給を確立するために、相補的関係において別の貯留デバイスと直列に連結されている、請求項１または２に記載の貯留デバイス。
【請求項９】
第１の貯留デバイス［７４ａ］および第２の貯留デバイス［７４ｂ］は、各貯留デバイスの縦軸に対して相補的関係において一緒に直列に連結されている、請求項８に記載の貯留デバイス。
【請求項１０】
漏出防止機構［１０２］をさらに備え、前記漏出防止機構［１０２］は、前記貯留デバイス［１０］内の流体経路を制御するために構成されている流体接続アセンブリ［１０４］と、前記貯留デバイス内の空気通気経路を制御するために構成されている空気接続アセンブリ［１０６］とを有する、請求項１または２に記載の貯留デバイス。
【請求項１１】
前記空気接続アセンブリ［１０６］は、疎水性フィルタ［１１８］を介して前記貯留デバイス［１０］の前記入口ポート［１８］に接続されている空気経路コネクタ［１１６］を含む、請求項１０に記載の貯留デバイス。
【請求項１２】
前記流体接続アセンブリ［１０４］は、前記流体の方向性流体流動を選択的に調整するために前記貯留デバイス［１０］の前記出口ポート［２６］に接続されている第１の流体逆止弁［１０８］を含む、請求項１０に記載の貯留デバイス。
【請求項１３】
前記流体接続アセンブリ［１０４］は、前記流体の方向性流体流動を選択的に調整するために前記貯留デバイス［１０］の前記入口ポート［１８］に接続されている第２の流体逆止弁［１１０］を含む、請求項１０に記載の貯留デバイス。
【請求項１４】
前記第１の流体逆止弁［１０８］は、別の貯留デバイスの第２の逆止弁［１１０］に解放可能に相補的に接続するために構成されている第１の流体経路コネクタ［１１２］を有する、請求項１２に記載の貯留デバイス。
【請求項１５】
前記第２の流体逆止弁［１１０］は、別の貯留デバイスの前記第１の流体逆止弁［１０８］に解放可能に相補的に接続するために構成されている第２の流体経路コネクタ［１１４］を有する、請求項１３に記載の貯留デバイス。
【請求項１６】
前記第１および第２の流体逆止弁［１０８、１１０］のクラッキング圧は、３〜５ポンド／平方インチの範囲にある、請求項１２に記載の貯留デバイス。
【請求項１７】
前記流体接続アセンブリ［１０４］は、前記流体接続アセンブリの第１のオス型部材［１２８］の挿入に適応するために構成されている第１のメス型部材開口部［１２６］を有する第１のメス型部材［１２４］を含む、請求項１０に記載の貯留デバイス。
【請求項１８】
前記流体接続アセンブリ［１０４］は、前記流体接続アセンブリの前記第１のメス型部材と前記第１のオス型部材とを解放可能に接続するために構成されているアセンブリ係止機構［１３０］を含む、請求項１７に記載の貯留デバイス。
【請求項１９】
前記第１のメス型部材は、前記流体の方向性流体流動を防止するために構成されている第１のシール固定具［１３８］を有する、請求項１７に記載の貯留デバイス。
【請求項２０】
前記第１のオス型部材は、前記流体の方向性流体流動を防止するために構成されている第２のシール固定具［１５０］を有する、請求項１７に記載の貯留デバイス。
【請求項２１】
前記第１のメス型部材は、前記第１のメス型部材［１２４］の内上側表面から垂れ下がっている柱［１４６］を有する、請求項１７に記載の貯留デバイス。
【請求項２２】
前記空気接続アセンブリは、前記空気接続アセンブリの第２のオス型部材［１６８］の挿入に適応するために構成されている第２のメス型部材開口部［１６６］を有する第２のメス型部材［１６４］を含む、請求項１０に記載の貯留デバイス。
【請求項２３】
疎水性フィルタ［１１８］が、前記第２のメス型部材の前記第２のメス型部材開口部内に配置されている、請求項２２に記載の貯留デバイス。
【請求項２４】
前記第２のオス型部材は、前記シースと前記第２のメス型部材との間の気密締りばめを生成するために構成されている、請求項２２に記載の貯留デバイス。
【請求項２５】
前記第２のオス型部材は、環状突出部［１７４］を有するシース［１７２］で封入されている、請求項２２に記載の貯留デバイス。
【請求項２６】
複数の流体および空気経路管［６４］が、前記貯留デバイス内に提供され、前記経路管は、前記貯留デバイスの前記空気通気経路および前記流体経路のうちの少なくとも１つを互いに流体連通した状態にするために構築および配置されている、請求項１０に記載の貯留デバイス。
【請求項２７】
前記空気接続アセンブリ［１０６］は、前記貯留デバイスの少なくとも２つの容器に同時に接続され、前記少なくとも２つの容器によって共有されている、請求項２６に記載の貯留デバイス。
【請求項２８】
前記流体接続アセンブリ［１０４］は、前記流体の方向性流体流動を選択的に調整するために、前記貯留デバイスの前記出口ポートに接続されている第１の力アクティブ化式弁［１８２］を含む、請求項１０に記載の貯留デバイス。
【請求項２９】
前記流体接続アセンブリ［１０４］は、前記流体の方向性流体流動を選択的に調整するために、前記貯留デバイスの前記入口ポートに接続されている第２の力アクティブ化式弁［１８４］を含む、請求項１０に記載の貯留デバイス。
【請求項３０】
前記流体接続アセンブリ［１０４］は、前記流体の方向性流体流動を選択的に調整するために、前記貯留デバイスの前記入口ポートに接続されている一方向性逆止弁［１８６］を含む、請求項１０に記載の貯留デバイス。
【請求項３１】
前記少なくとも１つのスパイクは、前記貯留デバイスの前記入口ポートおよび出口ポートを流体連通した状態で接続するために構成されているスパイクシース［１９０］で封入されている、請求項１０に記載の貯留デバイス。
【請求項３２】
前記流体接続アセンブリは、スパイクコネクタ［１９２］と、アクセスドーム弁［１９４］とを含む、請求項１０に記載の貯留デバイス。
【請求項３３】
前記アクセスドーム弁［１９４］は、相補的関係において前記スパイクコネクタ［１９２］の挿入に適応するために構成される開口部を有する、請求項３２に記載の貯留デバイス。
【請求項３４】
前記流体接続アセンブリは、疎水性フィルタ［１１８、２０６］および親水性フィルタ［２０８］のうちの少なくとも１つを含む、請求項１０に記載の貯留デバイス。
【請求項３５】
前記疎水性フィルタ［１１８、２０６］は、前記貯留デバイスの方向性空気流動を選択的に調整するために、前記貯留デバイスの前記入口ポートに接続されている、請求項３４に記載の貯留デバイス。
【請求項３６】
前記親水性フィルタ［２０８］は、前記貯留デバイスの方向性空気流動を選択的に調整するために、前記貯留デバイスの前記出口ポートに接続されている、請求項３４に記載の貯留デバイス。
【請求項３７】
トレイ部材［２１０］をさらに備え、前記トレイ部材［２１０］は、流体連通した状態でトレイ部材の中に組み込まれている少なくとも１つの前記貯留デバイスを含む、請求項３４に記載の貯留デバイス。
【請求項３８】
前記トレイ部材［２１０］は、少なくとも１つの流動通路を有する流動カバー［２１２］を含み、前記流動カバー［２１２］は、前記流体連通を促進するために前記トレイ部材に取り付けられている、請求項３７に記載の貯留デバイス。
【請求項３９】
前記トレイ部材［２１０］は、前記少なくとも１つの容器からの流路を選択的に調整するために構成されている位置決め弁［２１６］を含む、請求項３７に記載の貯留デバイス。
【請求項４０】
少なくとも１つの疎水性フィルタ［１１８、２０６］が、前記入口ポートおよび前記出口ポートのうちの少なくとも１つに接続されている、請求項３４に記載の貯留デバイス。
【請求項４１】
少なくとも１つの親水性フィルタ［２０８］が、前記入口ポートおよび前記出口ポートのうちの少なくとも１つに接続されている、請求項３４に記載の貯留デバイス。
【請求項４２】
トレイ部材［２１０］をさらに備え、前記トレイ部材［２１０］は、流体連通した状態で前記トレイ部材の中に組み込まれている複数の前記貯留デバイスを含む、請求項３４に記載の貯留デバイス。
【請求項４３】
前記トレイ部材［２１０］は、前記複数の貯留デバイスから前記出口ポートに２つの別個の流体を運搬するために構成されている２つの別個の管［６４］を含む、請求項４２に記載の貯留デバイス。
【手続補正２】
【補正対象書類名】明細書
【補正対象項目名】００２５
【補正方法】変更
【補正の内容】
【００２５】
本開示の前述および他の側面ならびに特徴は、付随の図面と併せて検討されることによって、以下の発明を実施するための形態から当業者に明白となるであろう。
本発明は、例えば、以下を提供する。
（項目１）
少なくとも１つの容器［１４、１６］を有する容器ユニット［１２］からの流体を貯留するための貯留デバイス［１０］であって、前記貯留デバイスは、
前記流体または周囲空気を受け取るために構成されている少なくとも１つの入口チャネル［２２、２４］を有する入口ポート［１８］と、
前記流体を取り付け部に送達するために構成されている少なくとも１つの出口チャネル［３２、３４］を有する出口ポート［２６］であって、前記入口および出口ポートは、前記貯留デバイス上に配置されている、出口ポート［２６］と、
前記少なくとも１つの容器［１４、１６］からの前記流体を貯留するための前記容器ユニット［１２］の挿入に適応するために構成されている空洞［４０］と、
前記空洞内に配置されている少なくとも１つのスパイク［４８、５０］と
を備え、
前記少なくとも１つのスパイクは、前記容器ユニットが上側位置から下側位置に移行するとき、前記少なくとも１つの容器のストッパ［４４、４６］を貫通するために構成されている、貯留デバイス。
（項目２）
前記入口ポート［１８］は、対応する管［６４］を介して、前記少なくとも１つのスパイク［４８、５０］と流体連通する前記出口ポート［２６］に接続されている、項目１に記載の貯留デバイス。
（項目３）
前記少なくとも１つのスパイク［４８、５０］は、前記少なくとも１つの入口チャネル［２２、２４］に接続されている第１のスパイクチャネル［６２、７０］を有する、項目１または２に記載の貯留デバイス。
（項目４）
前記少なくとも１つのスパイク［４８、５０］は、前記少なくとも１つの出口チャネル［３２、３４］に接続されている第２のスパイクチャネル［６６、７２］を有する、項目１〜３のいずれかに記載の貯留デバイス。
（項目５）
前記入口および出口ポート［１８、２６］のうちの少なくとも１つは、前記対応する入口および出口チャネル［２２、２４；３２、３４］を汚染から防護するための保護カバー［３８］を有する、項目１〜４のいずれかに記載の貯留デバイス。
（項目６）
前記少なくとも１つのスパイク［４８、５０］は、前記貯留デバイス［１０］の基部［５４］の内側表面［５２］から法線状に突出している、項目１〜５のいずれかに記載の貯留デバイス。
（項目７）
前記貯留デバイス［１０］は、使用中、前記容器ユニット［１２］を前記空洞［４０］内にしっかりと保持するために構成されている係止機構［５８］を有する、項目１〜６のいずれかに記載の貯留デバイス。
（項目８）
前記係止機構［５８］は、前記空洞［４０］の内壁［６０］上に配置されている、項目７に記載の貯留デバイス。
（項目９）
前記空洞［４０］は、単一容器［１４、１６］からの流体を貯留するための前記容器ユニット［１２］の挿入に適応するために構成されている、項目１〜８のいずれかに記載の貯留デバイス。
（項目１０）
前記少なくとも１つの容器［１４、１６］は、前記流体を貯蔵するように構成され、前記容器ユニット［１２］は、前記貯留デバイス［１０］に取り付けられる、項目１〜９のいずれかに記載の貯留デバイス。
（項目１１）
前記貯留デバイス［１０］は、前記上側位置から前記下側位置への前記容器ユニット［１２］の移行を停止させるために構成されているロックアウト機構［７６］を含む、項目１〜１０のいずれかに記載の貯留デバイス。
（項目１２）
前記容器ユニット［１２］は、前記容器ユニット［１２］の本体［８０］上に配置されているスロット［７８］の中に挿入可能なロックアウトピン［７６］を含む、項目１〜１１のいずれかに記載の貯留デバイス。
（項目１３）
プレスバー［８２］が、前記容器ユニット［１２］の上に配置されており、前記プレスバーは、前記プレスバーを下向きに押すことによって前記容器ユニット［１２］を前記上側位置から前記下側位置に移行させる、項目１〜１２のいずれかに記載の貯留デバイス。
（項目１４）
前記貯留デバイス［１０］は、連結された貯留デバイス［７４ａ、７４ｂ、７４ｃ］からの流体の途切れない供給を確立するために、相補的関係において別の貯留デバイスと直列に連結可能である、項目１〜１３のいずれかに記載の貯留デバイス。
（項目１５）
第１の貯留デバイス［７４ａ］の前記入口ポートは、相補的関係において第２の貯留デバイス［７４ｂ］の前記出口ポート［２６ｂ］の中に挿入可能であるように構成されている、項目１〜１４のいずれかに記載の貯留デバイス。
（項目１６）
第１の貯留デバイス［７４ａ］および第２の貯留デバイス［７４ｂ］は、各貯留デバイスの縦軸に対して相補的関係において一緒に直列に連結されている、項目１〜１５のいずれかに記載の貯留デバイス。
（項目１７）
前記貯留デバイス［１０］は、前記少なくとも１つの容器［１４、１６］に取り付けられ、前記少なくとも１つの容器の上部キャップ［４２］を除去するために構成されているキャップリムーバ［１９８］を含む、項目１〜１６のいずれかに記載の貯留デバイス。
（項目１８）
漏出防止機構［１０２］をさらに備え、前記漏出防止機構は、前記貯留デバイス［１０］内の流体経路を制御するために構成されている流体接続アセンブリ［１０４］と、前記貯留デバイス内の空気通気経路を制御するために構成されている空気接続アセンブリ［１０６］とを有する、項目１〜１７のいずれかに記載の貯留デバイス。
（項目１９）
前記空気接続アセンブリ［１０６］は、疎水性フィルタ［１１８］を介して前記貯留デバイス［１０］の前記入口ポート［１８］に接続されている空気経路コネクタ［１１６］を含む、項目１８に記載の貯留デバイス。
（項目２０）
前記流体接続アセンブリ［１０４］は、前記流体の方向性流体流動を選択的に調整するために前記貯留デバイス［１０］の前記出口ポート［２６］に接続されている第１の流体逆止弁［１０８］を含む、項目１８に記載の貯留デバイス。
（項目２１）
前記流体接続アセンブリ［１０４］は、前記流体の方向性流体流動を選択的に調整するために前記貯留デバイス［１０］の前記入口ポート［１８］に接続されている第２の流体逆止弁［１１０］を含む、項目１８に記載の貯留デバイス。
（項目２２）
前記第１の流体逆止弁［１０８］は、別の貯留デバイスの第２の逆止弁［１１０］に解放可能に相補的に接続するために構成されている第１の流体経路コネクタ［１１２］を有する、項目２０に記載の貯留デバイス。
（項目２３）
前記第２の流体逆止弁［１１０］は、別の貯留デバイスの前記第１の流体逆止弁［１０８］に解放可能に相補的に接続するために構成されている第２の流体経路コネクタ［１１４］を有する、項目２１に記載の貯留デバイス。
（項目２４）
前記第１および第２の流体逆止弁［１０８、１１０］のクラッキング圧は、３〜５ポンド／平方インチの範囲にある、項目２０に記載の貯留デバイス。
（項目２５）
前記空気接続アセンブリ［１０６］は、盲空洞［１２２］を有する空気経路プラグ［１２０］を含み、前記空気経路プラグは、別の貯留デバイスの前記空気経路コネクタ［１１６］に解放可能に相補的に接続するために構成されている、項目１８に記載の貯留デバイス。
（項目２６）
前記流体接続アセンブリ［１０４］は、前記流体接続アセンブリの第１のオス型部材［１２８］の挿入に適応するために構成されている第１のメス型部材開口部［１２６］を有する第１のメス型部材［１２４］を含む、項目１８に記載の貯留デバイス。
（項目２７）
前記流体接続アセンブリ［１０４］は、前記流体接続アセンブリの前記第１のメス型部材と前記第１のオス型部材とを解放可能に接続するために構成されているアセンブリ係止機構［１３０］を含む、項目２６に記載の貯留デバイス。
（項目２８）
前記第１のメス型部材は、前記流体の方向性流体流動を防止するために構成されている第１のシール固定具［１３８］を有する、項目２６に記載の貯留デバイス。
（項目２９）
前記第１のオス型部材は、前記流体の方向性流体流動を防止するために構成されている第２のシール固定具［１５０］を有する、項目２６に記載の貯留デバイス。
（項目３０）
前記第１のメス型部材は、前記第１のメス型部材［１２４］の内上側表面から垂れ下がっている柱［１４６］を有する、項目２６に記載の貯留デバイス。
（項目３１）
前記第１のオス型部材は、前記第１のメス型部材の前記柱の挿入に適応するように寸法を決定された中心貫通ボア［１６２］を有するバックアップワッシャ［１６０］を有する、項目３０に記載の貯留デバイス。
（項目３２）
前記空気接続アセンブリは、前記空気接続アセンブリの第２のオス型部材［１６８］の挿入に適応するために構成されている第２のメス型部材開口部［１６６］を有する第２のメス型部材［１６４］を含む、項目１８に記載の貯留デバイス。
（項目３３）
疎水性フィルタ［１１８］が、前記第２のメス型部材の第２のメス型部材開口部内に配置されている、項目３２に記載の貯留デバイス。
（項目３４）
前記第２のオス型部材は、前記シースと前記第２のメス型部材との間の気密締りばめを生成するために構成されている、項目３２に記載の貯留デバイス。
（項目３５）
前記第２のオス型部材は、環状突出部［１７４］を有するシース［１７２］で封入されている、項目３２に記載の貯留デバイス。
（項目３６）
複数の流体および空気経路管［６４］が、前記貯留デバイス内に提供され、前記経路管は、前記貯留デバイスの前記空気通気経路および前記流体経路のうちの少なくとも１つを互いに流体連通した状態で設置するために構築および配置されている、項目１８に記載の貯留デバイス。
（項目３７）
前記空気接続アセンブリ［１０６］は、前記貯留デバイスの少なくとも２つの容器に同時に接続され、それらによって共有されている、項目３６に記載の貯留デバイス。
（項目３８）
前記流体接続アセンブリ［１０４］は、前記流体の方向性流体流動を選択的に調整するために、前記貯留デバイスの出口ポートに接続されている第１の力アクティブ化式弁［１８２］を含む、項目１８に記載の貯留デバイス。
（項目３９）
前記流体接続アセンブリ［１０４］は、前記流体の方向性流体流動を選択的に調整するために、前記貯留デバイスの入口ポートに接続されている第２の力アクティブ化式弁［１８４］を含む、項目１８に記載の貯留デバイス。
（項目４０）
前記流体接続アセンブリ［１０４］は、前記流体の方向性流体流動を選択的に調整するために、前記貯留デバイスの入口ポートに接続されている一方向性逆止弁［１８６］を含む、項目１８に記載の貯留デバイス。
（項目４１）
前記少なくとも１つのスパイクは、前記貯留デバイスの入口および出口ポートを流体連通した状態で接続するために構成されているスパイクシース［１９０］で封入されている、項目１８に記載の貯留デバイス。
（項目４２）
前記流体接続アセンブリは、スパイクコネクタ［１９２］と、アクセスドーム弁［１９４］とを含む、項目１８に記載の貯留デバイス。
（項目４３）
前記アクセスドーム弁［１９４］は、相補的関係において前記スパイクコネクタ［１９２］の挿入に適応するために構成される開口部を有する、項目４２に記載の貯留デバイス。
（項目４４）
前記流体接続アセンブリは、疎水性フィルタ［１１８、２０６］および親水性フィルタ［２０８］のうちの少なくとも１つを含む、項目１８に記載の貯留デバイス。
（項目４５）
前記疎水性フィルタ［１１８、２０６］は、前記貯留デバイスの方向性空気流動を選択的に調整するために、前記貯留デバイスの入口ポートに接続されている、項目４４に記載の貯留デバイス。
（項目４６）
前記親水性フィルタ［２０８］は、前記貯留デバイスの方向性空気流動を選択的に調整するために、前記貯留デバイスの出口ポートに接続されている、項目４４に記載の貯留デバイス。
（項目４７）
トレイ部材［２１０］をさらに備え、前記トレイ部材は、流体連通した状態でトレイ部材の中に組み込まれている少なくとも１つの前記貯留デバイスを含む、項目１〜４６のいずれかに記載の貯留デバイス。
（項目４８）
前記トレイ部材［２１０］は、少なくとも１つの流動通路を有する流動カバー［２１２］を含み、前記流動カバーは、前記流体連通を促進するために前記トレイ部材に取り付けられている、項目４７に記載の貯留デバイス。
（項目４９）
前記トレイ部材［２１０］は、前記少なくとも１つの容器からの流路を選択的に調整するために構成されている位置決め弁［２１６］を含む、項目４７に記載の貯留デバイス。
（項目５０）
少なくとも１つの疎水性フィルタ［１１８、２０６］が、前記入口ポートおよび前記出口ポートのうちの少なくとも１つに接続されている、項目１〜４９のいずれかに記載の貯留デバイス。
（項目５１）
少なくとも１つの親水性フィルタ［２０８］が、前記入口ポートおよび前記出口ポートのうちの少なくとも１つに接続されている、項目１〜５０のいずれかに記載の貯留デバイス。
（項目５２）
トレイ部材［２１０］をさらに備え、前記トレイ部材は、流体連通した状態で前記トレイ部材の中に組み込まれている複数の前記貯留デバイスを含む、項目１〜５１のいずれかに記載の貯留デバイス。
（項目５３）
前記トレイ部材［２１０］は、前記複数の貯留デバイスから前記出口ポートに２つの別個の流体を運搬するために構成されている２つの別個の管［６４］を含む、項目５２に記載の貯留デバイス。
（項目５４）
医薬流体を貯留するための貯留デバイス［１０］であって、前記貯留デバイスは、
前記流体を貯蔵するように構成されている少なくとも１つの容器［１４、１６］を有する容器ユニット［１２］であって、前記容器ユニットは、前記貯留デバイスに取り付けられる、容器ユニットと、
前記流体または周囲空気を受け取るために構成されている少なくとも１つの入口チャネル［２２、２４］を有する入口ポート［１８］と、
前記流体を取り付け部に送達するために構成されている少なくとも１つの出口チャネル［３２、３４］を有する出口ポート［２６］であって、前記入口および出口ポートは、前記貯留デバイス上に配置されている、出口ポート［２６］と、
前記少なくとも１つの容器［１４、１６］からの前記流体を貯留するための前記容器ユニット［１２］の挿入に適応するために構成されている空洞［４０］と、
前記空洞内に配置されている少なくとも１つのスパイク［４８、５０］と
を備え、
前記少なくとも１つのスパイクは、前記容器ユニットが上側位置から下側位置に移行するとき、前記少なくとも１つの容器のストッパ［４４、４６］を貫通するために構成されており、
前記貯留デバイス［１０］は、貯留デバイスからの前記流体の途切れない供給を確立するために、各連結された貯留デバイスに対して直列配置において別の貯留デバイスと相補的に連結可能である、貯留デバイス。
（項目５５）
前記貯留デバイス［１０］は、前記出口ポートを収容するために構成されている第１のウイング［８８］と、前記入口ポートを収容するために構成されている第２のウイング［９０］とを含む、項目５４に記載の貯留デバイス。
（項目５６）
前記第２のウイング［９０］は、前記第１のウイング［８８］に対して垂直に変位させられている、項目５４または５５に記載の貯留デバイス。